(57)【特許請求の範囲】
【請求項１】
シャワー室、副脱臭室、主脱臭室の順に３つの部屋を並べて設置し、
当該シャワー室には冷水を噴出するシャワー施設を装備し、
副脱臭室及び主脱臭室には多孔の床板を敷き、さらに内部に木質細片に低温嫌気性微生物を培養した脱臭用の微生物媒体を堆積し、
主脱臭室の容積を副脱臭室の容積より大きくすると共に、両脱臭室の床下を連通し、
さらに、散水器を主脱臭室に配備し、
副脱臭室の上部とシャワー室の上部を接続して、
シャワー室より排出する排気を副脱臭室に導き、そこに堆積する微生物媒体の間を通って床下に抜き、さらに主脱臭室の床下よりそこの微生物媒体の間を通過して、主脱臭室上部の排気出口より機外に吸引排気することを特徴とする記載の脱臭装置。
【請求項２】
前記主脱臭室に、温度センサを配置して、散水器からの散水により微生物媒体の周辺温度を所定の温度に調整することを特徴する請求項１記載の脱臭装置。
【発明の詳細な説明】
【０００１】
【発明の属する技術分野】
本発明は、生ごみ処理装置から排出する臭気を帯びた排気などを脱臭する脱臭装置に関する。
【０００２】
【従来の技術】
従来行われている生ごみ処理は、焼却により場合が多く、その焼却熱により臭気は熱分解すると共に、高い煙突から上空に拡散するため気になることは少ない。また、農家などで堆肥として微生物により分解処理する場合は、通常通風のよい畑地等で時間をかけて分解処理するため、その臭気も特に問題にならなかった。
近来、大量に発生する生ごみ等の有機廃棄物を処理する方法として、密閉容器内で微生物により分解してコンポスト化する方法が注目されている。この場合、有機廃棄物を大量に集中して処理すると、発生する臭気をそのまま放出するわけにいかず、この処理が問題になっていた。
【０００３】
【発明が解決しようとする課題】
本発明では、このような生ごみ処理装置により大量の有機廃棄物を処理する際に発生する臭気を帯びた排気を、低温嫌気性微生物により分解して無臭化する脱臭機を提供する。
【０００４】
【課題を解決するための手段】
請求項１の発明では、シャワー室、副脱臭室、主脱臭室の順に３つの部屋を並べて設置し、
当該シャワー室には冷水を噴出するシャワー施設を装備し、
副脱臭室及び主脱臭室には多孔の床板を敷き、さらに内部に木質細片に低温嫌気性微生物を培養した脱臭用の微生物媒体を堆積し、
主脱臭室の容積を副脱臭室の容積より大きくすると共に、両脱臭室の床下を連通し、
さらに、散水器を主脱臭室に配備し、
副脱臭室の上部とシャワー室の上部を接続して、
シャワー室より排出する排気を副脱臭室に導き、そこに堆積する微生物媒体の間を通って床下に抜き、さらに主脱臭室の床下よりそこの微生物媒体の間を通過して、主脱臭室上部の排気出口より機外に吸引排気する。
請求項２の発明では、前記請求項１の発明の主脱臭室に、温度センサを配置して、散水器からの散水により微生物媒体の周辺温度を所定の温度に調整する。
【０００５】
【発明の実施の形態】
本発明の詳細を添付図面により説明する。
図１は本発明の脱臭機の構成を示す全体断面図、図２はその平面図である。
脱臭室１は防錆処理した鋼板を直方体に組合わせて形成し、直方体の長手方向に手前からシャワー室２、副脱臭室３、主脱臭室４の順に３つの部屋を並列に形成する。
シャワー室２と副脱臭室３の間に床面から垂直に、第１の仕切り板５を立設し、第１の仕切り板５の上方に、脱臭室１の天面との間に開口を形成してシャワー室２と副脱臭室３を連通する。
ついで、副脱臭室３、主脱臭室４の間に第２の仕切り板６を設けて両室を仕切り、床下は連通する。副脱臭室３及び主脱臭室４には多孔の床板７を敷く。
【０００６】
シャワー室２の底面に水槽８を形成し、その上方に複数の散水器９を配置し、水槽８から揚水ポンプ１０を通してこれら散水器９に配管し、散水用の循環経路を形成する。
水槽８にはその水位を検出する水位センサ１１を設け、水槽８の水位が所定の水位を下回ると、自動的に給水弁１２を開き、給水源（水道等）から水槽８に給水して水位を維持する。この状態で、揚水ポンプ１０を駆動して複数の散水器９から室内に散水し、その水滴を水槽８に回収する。
副脱臭室３、主脱臭室４の床下にドレーン受皿１３を形成し、その一端から排出弁１４を介してドレーンを槽外に排出する。
副脱臭室３、主脱臭室４の床板７上に、所定の高さに低温嫌気性微生物を培養した木質細片からなる微生物媒体Ｇを堆積する。このとき、主脱臭室４ではその天面との間に十分な空間を残すようにする。
そして主脱臭室４の天面には、散水器９を室内に向けて取付けると共に、排気出口１５を開口し、排気出口１５には排気ファン１６を連結する。散水器９は揚水ポンプ１０bにより給水弁１２を介して給水源に連結する。
さらに、主脱臭室４の内壁に複数の温度センサ１７を配置し、室内の微生物媒体Ｇの周辺温度を検出して、周辺温度が４０℃を越えると揚水ポンプ１０bを駆動して、散水器９より室内の微生物媒体Ｇに注水し、その温度を４０℃以下に調整する。
【０００７】
シャワー室２の排気入口１８に、臭気を帯びた排気の発生源（本実施例では生ごみ処理装置）を連結し、排気ファン１６を作動して主脱臭室４、副脱臭室３、シャワー室２を通して、排気入口１８から臭気を帯びた排気を吸引する。
ここで副脱臭室３の広さを主脱臭室４より狭くすることにより、排気ファン１６の吸引により、排気入口１８から流入する排気の流速を副脱臭室３よりも主脱臭室４で減速して、微生物媒体Ｇの間をゆっくりと時間をかけて通過させ室内に臭気を帯びた排気を拡散する。
この脱臭機に引き込まれた排気は、はじめにシャワー室２で散水器９のシャワー中を移動して、排気中の塵埃等を散水により洗い流され、同時にシャワーで冷却される。
次に副脱臭室３の微生物媒体Ｇを通過して分解され、さらに副脱臭室３より主脱臭室４に移り、主脱臭室４の微生物媒体Ｇを通過し、残った臭気を低温嫌気性微生物により分解され、排気出口１５から機外に排出される。
このとき排気中の水分は、ドレーンとなってドレーン受皿１３に落下回収される。
【０００８】
副脱臭室３の床面積よりも主脱臭室４の床面積を広く形成することにより副脱臭室３より出た排気は、主脱臭室４で拡散されその流速が遅くなり、微生物媒体Ｇの間をゆっくり上昇する。
【０００９】
【発明の効果】
本発明では、シャワー室、副脱臭室、主脱臭室の順に３つの部屋を並べて設置し、当該シャワー室には冷水を噴出するシャワー施設を装備する。よって、生ごみ処理機から出る不快な臭いの排気をこのシャワー室に導いて、塵埃など洗い落とすと同時に冷却できる。
また、副脱臭室及び主脱臭室には多孔の床板を敷き、さらに内部に木質細片に低温嫌気性微生物を培養した脱臭用の微生物媒体を堆積する。よって、排気中の臭気成分がこの微生物により分解され、脱臭室の上部に抜けるまでに脱臭され、臭いのない排気となって機外に排出される。
また、主脱臭室の容積を副脱臭室の容積より大きくすると共に、両脱臭室の床下を連通する。よって、主脱臭室で排気は微生物媒体の間をゆっくりと上昇し、充分に脱臭される。
さらに、散水器を主脱臭室に配備する。よって、脱臭室の温度上昇を抑制できる。
請求項２の発明ではさらに、主脱臭室に、温度センサを配置して、散水器からの散水により微生物媒体の周辺温度を所定の温度に調整する。よって、低温嫌気性微生物に最適な温度環境が常に確保できる。
【図面の簡単な説明】
【図１】本発明の脱臭機の構成を示す側面断面図である。
【図２】同平面断面図である。
【符号の説明】
Ｇ  微生物媒体
１  脱臭室
２  シャワー室
３  副脱臭室
４  主脱臭室
５  第１の仕切り板
６  第２の仕切り板
７  床板
８  水槽
９  散水器
１０、１０b  揚水ポンプ
１１  水位センサ
１２  給水弁
１３  ドレーン受皿
１４  排出弁
１５  排気出口
１６  排気ファン
１７  温度センサ
１８  排気入口
【図１】
0003780114.tif 000002
【図２】
0003780114.tif 000003